【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
ワイヤレス・センサから第１のデータ・パケット又は第２のデータ・パケットのうちの１つを受信するように構成されるネットワーク・ゲートウェイ・デバイスに動作可能に結合されるように構成された、ワイヤレス・センサを備え、
前記ワイヤレス・センサが、第１の時間に第１の周波数で前記第１のデータ・パケットを送信するように構成され、前記第１のデータ・パケットが、前記ワイヤレス・センサによって測定された測定の値に関連するペイロードを含み、
前記ワイヤレス・センサが、第２の時間に前記第１の周波数とは異なる第２の周波数で前記第２のデータ・パケットを送信するように構成され、前記第２の時間は、前記第１の時間より後であり、前記第１の時間の終わりと前記第２の時間の始まりの間に実質的に遅延が存在せず、前記第２のデータ・パケットが、前記第１のデータ・パケットの前記ペイロードに対応するペイロードを含み、
前記ワイヤレス・センサが、前記ネットワーク・ゲートウェイ・デバイスからの命令とは無関係に前記第１のデータ・パケット及び前記第２のデータ・パケットを送信するように構成される、装置。
【請求項２】
前記ワイヤレス・センサが、前記第１のデータ・パケット又は前記第２のデータ・パケットを受信するように構成されるワイヤレス・レピータに動作可能に結合されるように更に構成される、請求項１に記載の装置。
【請求項３】
前記ワイヤレス・センサが、ある量の時間の間、前記第１のデータ・パケット又は前記第２のデータ・パケットのうちの少なくとも１つを記憶するためのバッファを有する前記ワイヤレス・レピータに結合されるように構成される、請求項２に記載の装置。
【請求項４】
前記ワイヤレス・レピータが第１のワイヤレス・レピータであり、
前記ワイヤレス・センサが、前記第２のデータ・パケットが第２のワイヤレス・レピータから送信され前記第１のデータ・パケットが前記ワイヤレス・レピータのバッファに記憶される時に、前記第１のデータ・パケットの前記ペイロードが前記第２のデータ・パケットの前記ペイロードと同じであることに基づいて前記第１のデータ・パケットを廃棄する前記ワイヤレス・レピータに結合されるように構成される、請求項３に記載の装置。
【請求項５】
前記ワイヤレス・センサが、前記第１のデータ・パケット又は前記第２のデータ・パケットが受信される時に前記第１のデータ・パケット又は前記第２のデータ・パケットに受信信号強度値を追加する前記前記ワイヤレス・レピータに結合されるように構成される、請求項２に記載の装置。
【請求項６】
前記ワイヤレス・センサが、（１）第１のトランシーバに関連する第１のアンテナを介して前記第１のデータ・パケットを受信し、（２）第２のトランシーバに関連する第２のアンテナを介して前記第２のデータ・パケットを受信する、ワイヤレス・レピータに動作可能に結合されるように構成される、請求項１に記載の装置。
【請求項７】
前記ワイヤレス・センサが、（１）前記第１のデータ・パケットを受信するために、受信信号強度に基づいて、第１のアンテナ又は第２のアンテナを選択し、（２）前記第２のデータ・パケットを受信するために、受信信号強度に基づいて、第３のアンテナ又は第４のアンテナを選択する、前記ネットワーク・ゲートウェイ・デバイスに結合されるように構成される、請求項１に記載の装置。
【請求項８】
ネットワーク・ゲートウェイ・デバイスに動作可能に結合されるように構成されたワイヤレス・センサであって、前記ワイヤレス・センサが、第１の時間に第１の周波数で第１のデータ・パケットを送信するとともに、第２の時間に前記第１の周波数とは異なる第２の周波数で第２のデータ・パケットを送信し、前記第２の時間は、前記第１の時間より後であり、前記第１の時間の終わりと前記第２の時間の始まりの間に実質的に遅延が存在せず、前記第２のデータ・パケットの前記データは、前記第１のデータ・パケットの前記データに対応し、前記ワイヤレス・センサが、前記ネットワーク・ゲートウェイ・デバイスからの命令とは無関係に前記第１のデータ・パケット及び前記第２のデータ・パケットを送信するように構成される、ワイヤレス・センサと、
前記第１のデータ・パケット及び前記第２のデータ・パケットを再送信するように構成された少なくとも１つのワイヤレス・レピータであって、前記ワイヤレス・レピータが、第１のトランシーバに関連する第１のアンテナと、第２のトランシーバに関連する第２のアンテナと、を有し、前記第１のアンテナ及び第１のトランシーバが前記第１のデータ・パケットを受信するように構成され、前記第２のアンテナ及び第２のトランシーバが前記第２のデータ・パケットを受信するように構成される、ワイヤレス・レピータと、を備え、
前記ネットワーク・ゲートウェイ・デバイスが、前記第１のデータ・パケット又は前記第２のデータ・パケットのうちの１つを受信するように構成される、
装置。
【請求項９】
前記少なくとも１つのワイヤレス・レピータが、ある量の時間の間、前記第１のデータ・パケット又は前記第２のデータ・パケットのうちの少なくとも１つを記憶するためのバッファを含む、請求項８に記載の装置。
【請求項１０】
前記少なくとも１つのワイヤレス・レピータが、前記第１のデータ・パケット又は前記第２のデータ・パケットが受信される時に前記第１のデータ・パケット又は前記第２のデータ・パケットに受信信号強度値を追加するように構成される、請求項９に記載の装置。
【請求項１１】
アンテナ部分を含み、前記アンテナ部分を介してネットワーク・ゲートウェイ・デバイスに動作可能に結合されるように構成されたワイヤレス・センサを備え、
前記ワイヤレス・センサが、少なくとも部分的に電気的密閉容器内に配置されるように構成されたハウジングを含み、
前記電気的密閉容器は、ジャンクション・ボックス又はライト取り付け具のうちの一つであり、前記ワイヤレス・センサの前記アンテナ部分が、前記電気的密閉容器のアンテナ接地平面に動作可能に結合されるように構成され、
前記ワイヤレス・センサが、前記ワイヤレス・センサの特性の値を示す信号を前記ネットワーク・ゲートウェイ・デバイスに送信するように構成される、
装置。
【請求項１２】
前記ワイヤレス・センサが、ダイポール・アンテナを使用して信号を送信するように構成され、前記アンテナ部分が前記ダイポール・アンテナの第１の半分であり、前記電気的密閉容器の金属部分が前記ダイポール・アンテナの第２の半分である、請求項１１に記載の装置。
【請求項１３】
前記ワイヤレス・センサが、アンテナを使用して前記信号を送信するように構成され、前記ワイヤレス・センサの前記アンテナ部分が前記アンテナのモノポール・エレメントであり、前記電気的密閉容器の金属部分が前記モノポール・エレメント用の接地平面である、請求項１１に記載の装置。
【請求項１４】
前記ワイヤレス・センサのアースが誘電体によって前記電気的密閉容器から隔離される、請求項１３に記載の装置。
【請求項１５】
前記ワイヤレス・センサが、前記ハウジング内に配置されたバッテリに動作可能に結合されるように構成される、請求項１１に記載の装置。
【請求項１６】
前記ワイヤレス・センサが、前記ジャンクション・ボックス又はライト取り付け具に関連するエネルギ源とは別個のエネルギ・ハーベスタ・デバイスを含む、請求項１１に記載の装置。
【請求項１７】
前記特性がエネルギ使用量である、請求項１１に記載の装置。
【請求項１８】
前記ワイヤレス・センサが交流アウトレットを含む、請求項１１に記載の装置。
【請求項１９】
前記ワイヤレス・センサが交流スイッチを含む、請求項１１に記載の装置。
【請求項２０】
前記特性が前記交流スイッチの状態である、請求項１９に記載の装置。